(57)【要約】  可膨張式ポートは、ハウジングと、ハウジング内のチャンバと、チャンバ上方のセプタムと、ハウジングから延在する中空のステムと、ハウジングの少なくとも一部分の周りの袋とを含む。チャンバは、主要開口部および小開口部を有する。セプタムは、チャンバの主要開口部の上方に配置され、ハウジングに固定される。ステムは、チャンバの小開口部によってチャンバに流体接続する。袋は、袋の膨張時に可膨張式ポートのサイズを増大させ、袋の収縮時に可膨張式ポートのサイズを減少させるように構成される。本明細書には、また、本明細書には、可膨張式ポートを含むカテーテルアセンブリ、ならびに前述の可膨張式ポートおよびカテーテルアセンブリに関する方法も開示される。
2021527523.tif 000002
【特許請求の範囲】
【請求項１】
可膨張式ポートであって、
ハウジングと、
主要開口部および小開口部を有する、前記ハウジング内のチャンバと、
前記チャンバの主要開口部の上方において、前記ハウジングに固定されるセプタムと、
前記チャンバの前記小開口部によって前記チャンバに流体接続され、前記ハウジングから延在する中空のステムと、
前記ハウジングの少なくとも一部分の周りの袋であって、前記袋の膨張時に前記可膨張式ポートのサイズを増大させ、前記袋の収縮時に前記可膨張式ポートの前記サイズを減少させるように構成された前記袋と
を備える、可膨張式ポート。
【請求項２】
前記袋は前記チャンバの前記主要開口部および前記小開口部の周りで前記ハウジングに固定され、それによって、前記セプタムへのニードルアクセスが妨げられず、かつ、前記チャンバと前記ステムとの間に流体連通が提供される、請求項１に記載の可膨張式ポート。
【請求項３】
前記袋は、ニードルで貫通してシリンジ内の流体を注入することによって膨張するように構成され、ニードルの貫通可能な、自己密封式の袋である、請求項１または２に記載の可膨張式ポート。
【請求項４】
前記袋は、ニードルで貫通して前記袋からシリンジ内へ流体を引き抜くことによって収縮するように構成され、ニードルの貫通可能な、自己密封式の袋である、請求項１または２に記載の可膨張式ポート。
【請求項５】
前記流体は水または生理食塩水を含む液体、および、空気、窒素、またはアルゴンを含む気体から選択される、請求項３または４に記載の可膨張式ポート。
【請求項６】
前記流体は滅菌生理食塩水である、請求項３または４に記載の可膨張式ポート。
【請求項７】
前記ハウジングは、前記可膨張式ポートを通る注入物の所望の流量を達成するように機械的に補助された加圧注入のための構造的一体性を有する、請求項１〜６のうちのいずれか一項に記載の可膨張式ポート。
【請求項８】
ａ）可膨張式ポートであって、
ハウジングと、
主要開口部および小開口部を有する、前記ハウジング内のチャンバと、
前記チャンバの前記主要開口部の上方において前記ハウジングに固定されたセプタムと、
前記チャンバの前記小開口部によって前記チャンバに流体接続され、前記ハウジングから延在する中空のステムと、
前記ハウジングの少なくとも一部分の周りにある袋であって、前記袋の膨張時に前記可膨張式ポートのサイズを増大させ、前記袋の収縮時に前記可膨張式ポートの前記サイズを減少させるように構成された、袋と、
を含む可膨張式ポートと、
ｂ）前記可膨張式ポートの前記ステムの上方を摺動するように構成される端部を含むカテーテルであって、前記可膨張式ポートの前記チャンバと流体連通するルーメンを有する、前記カテーテルと、
ｃ）前記可膨張式ポートの前記ステム上方において前記カテーテルの前記端部上を摺動するように構成され、それによって、前記可膨張式ポートの前記ステム上に前記カテーテルをロックする、カテーテルロックと
を含む、カテーテルアセンブリ。
【請求項９】
前記袋は前記チャンバの前記主要開口部および前記小開口部の周りで前記ハウジングに固定され、それによって、前記セプタムへのニードルアクセスが妨げられず、かつ、前記チャンバと前記ステムとの間に流体連通が提供される、請求項８に記載のカテーテルアセンブリ。
【請求項１０】
前記袋は、ニードルで貫通してシリンジ内の流体を注入することによって膨張するように構成され、ニードルの貫通可能な、自己密封式の袋である、請求項８または９に記載のカテーテルアセンブリ。
【請求項１１】
前記袋は、ニードルで貫通して前記袋からシリンジ内へ流体を引き抜くことによって収縮するように構成され、ニードルの貫通可能な、自己密封式の袋である、請求項８または９に記載のカテーテルアセンブリ。
【請求項１２】
前記流体は水または生理食塩水を含む液体、および、空気、窒素、またはアルゴンを含む気体から選択される、請求項１０または１１に記載のカテーテルアセンブリ。
【請求項１３】
前記流体は滅菌生理食塩水である、請求項１０または１１に記載のカテーテルアセンブリ。
【請求項１４】
前記ハウジングは、前記可膨張式ポートを通る注入物の所望の流量を達成するように機械的に補助された加圧注入のための構造的一体性を有する、請求項８〜６のうちのいずれか一項に記載のカテーテルアセンブリ。
【請求項１５】
カテーテルアセンブリを移植する方法であって、
前記カテーテルアセンブリの構成要素を入手することであって、
前記構成要素は、可膨張式ポートと、前記可膨張式ポートのステム上方に摺動するように構成された端部を含むカテーテルと、前記可膨張式ポートの前記ステム上に前記カテーテルをロックするように、前記可膨張式ポートの前記ステム上方にて前記カテーテルの前記端部上を摺動するように構成されたカテーテルロックとを含むことと、
患者の鎖骨近くの第１切開を通って前記患者の上大静脈に前記カテーテルを導入することと、
前記患者の胸上の前記第１切開の下の第２切開を通って作られた前記患者のポートポケットに前記可膨張式ポートを導入することと、
前記可膨張式ポートに前記カテーテルを連結し、前記可膨張式ポートの前記ステム上に前記カテーテルをロックすることと、
前記患者にとって適切なサイズのポートに前記可膨張式ポートを膨張させること
とを含む、方法。
【請求項１６】
前記可膨張式ポートを小さいサイズから前記患者にとって適切なサイズのポートに対応する大きいサイズの前記可膨張式ポートに膨張させることによって、前記第２切開を既存のポートに必要な通常のものより小さい切開にすることを可能にし、それによって前記患者の傷跡を最小化する、請求項１５に記載の方法。
【請求項１７】
前記可膨張式ポートを膨張させる前に前記第２切開の周りの縫合で前記ポートポケットを閉じることをさらに含む、請求項１５または１６に記載の方法。
【請求項１８】
前記可膨張式ポートは、
ハウジングと、
主要開口部および小開口部を有する前記ハウジング内のチャンバと、
前記ハウジングに固定され、前記チャンバの前記主要開口部の上方のセプタムと、
前記ハウジングから延在する中空のステムであって、前記チャンバの前記小開口部によって前記チャンバに流体接続される、前記中空のステムと、
前記ハウジングの少なくとも一部分の周りにあり、ニードルの貫通可能な自己密封式の袋であって、前記袋の膨張時に前記可膨張式ポートのサイズを増大させ、前記袋の収縮時に前記可膨張式ポートの前記サイズを減少させるように構成された、前記袋と、
を含む、請求項１５〜１７のうちのいずれか一項に記載の方法。
【請求項１９】
前記袋をニードルで貫通すること、および、前記可膨張式ポートを膨張させるために前記袋にシリンジ内の流体を注入することをさらに含む、請求項１８に記載の方法。
【請求項２０】
前記袋をニードルで貫通すること、および、前記可膨張式ポートを収縮させるために前記袋から流体を引き抜くこと、および前記患者の前記ポートポケットから前記可膨張式ポートを取り除くことをさらに含む、請求項１８に記載の方法。
【発明の詳細な説明】
【技術分野】
【０００１】
本発明は、可膨張式ポート、可膨張式ポートを含むカテーテルアセンブリ、およびその方法に関する。
【背景技術】
【０００２】
臨床医は、一般的に、血管アクセスポートを移植するときに患者に作られる切開サイズおよびポートポケットサイズを最小化するように努力する。それに対応して、ポートの移植からの傷跡を最小化するように、より小さなサイズのアクセスポートが選択される。残念なことに、より小さなサイズのポートは必ずしも患者の体質と一致するわけではない場合がある。これにより、輸液セットアクセス用に位置決め、または触診できないアクセスポートになり得る。
【０００３】
輸液セットアクセスに付随する位置決めおよび触診の問題を回避するために、より大きなサイズのアクセスポートが移植された場合、そのより大きなサイズのアクセスポートは、患者（特に、癌患者が悪液質になった場合に続く典型的な体重減少の患者）にとって大きすぎることになる。これは、患者に美容上の課題、また、皮膚びらんの問題の可能性を生じ得る。
【発明の概要】
【発明が解決しようとする課題】
【０００４】
前述の観点から、ポート配置の傷跡を最小化し、輸液セットアクセスに付随する位置決めおよび触診の問題を回避する血管アクセスポートが必要とされる。本明細書に開示されるのは、膨張アクセスポート、膨張アクセスポートを含むカテーテルアセンブリ、および少なくとも前述したことに取り組む方法である。
【課題を解決するための手段】
【０００５】
本明細書に開示されているのは、いくつかの実施形態において、ハウジングと、ハウジング内のチャンバと、チャンバ上方のセプタムと、ハウジングから延在する中空のステムと、ハウジングの少なくとも一部分の周りの袋とを含む、可膨張式ポートである。チャンバは、主要開口部および小開口部を有する。セプタムは、チャンバの主要開口部の上方にある。セプタムは、ハウジングに固定される。ステムは、チャンバの小開口部によってチャンバに流体接続する。袋は、袋の膨張時に可膨張式ポートのサイズを増大させ、袋の収縮時に可膨張式ポートのサイズを減少させるように構成される。
【０００６】
いくつかの実施形態において、袋は、チャンバの主要開口部および小開口部の周りでハウジングに対して固定される。チャンバの主要開口部の周りでハウジングに対して袋を固定することにより、セプタムに対するニードルのアクセスが妨げられることなく提供される。チャンバの小開口部の周りでハウジングに対して袋を固定することにより、チャンバとステムとの間に流体連通が提供される。
【０００７】
いくつかの実施形態において、袋は、ニードルで貫通してシリンジ内の流体を注入することによって膨張するように構成された、ニードルで貫通可能な、自己密封式の袋である。
【０００８】
いくつかの実施形態において、袋は、ニードルで貫通して袋からシリンジ内へ流体を引き抜くことによって収縮するように構成された、ニードルで貫通可能な、自己密封式の袋である。
【０００９】
いくつかの実施形態において、流体は、水または生理食塩水を含む液体、および、空気、窒素、またはアルゴンを含む気体から選択される。いくつかの実施形態において、流体は滅菌生理食塩水である。
【００１０】
いくつかの実施形態において、ハウジングは、可膨張式ポートを通る注入物の所望の流量を達成するように機械的に補助された加圧注入のための構造的一体性を有する。
本明細書に、また開示されるのは、いくつかの実施形態において、可膨張式ポートと、可膨張式ポートに流体接続するように構成されたカテーテルと、可膨張式ポート上にカテーテルをロックするように構成されたカテーテルロックとを含むカテーテルアセンブリである。可膨張式ポートは、ハウジングと、ハウジング内のチャンバと、チャンバ上方のセプタムと、ハウジングから延在する中空のステムと、ハウジングの少なくとも一部分の周りの袋とを含む。チャンバは、主要開口部および小開口部を有する。セプタムは、チャンバの主要開口部の上方にある。セプタムは、ハウジングに固定される。ステムは、チャンバの小開口部によってチャンバに流体接続する。袋は、袋の膨張時に可膨張式ポートのサイズを増大させ、袋の収縮時に可膨張式ポートのサイズを減少させるように構成される。カテーテルは、可膨張式ポートのステム上方に摺動するように構成された端部を含む。カテーテルは、可膨張式ポートに連結されるとき、可膨張式ポートのチャンバと流体連通するルーメンを有する。カテーテルロックは、可膨張式ポートのステム上にカテーテルをロックするように、可膨張式ポートのステム上方のカテーテルの当該端部上を摺動するように構成される。
【００１１】
いくつかの実施形態において、袋はチャンバの主要開口部および小開口部の周りでハウジングに固定される。チャンバの主要開口部の周りでハウジングに対して袋を固定することにより、セプタムに対するニードルのアクセスが妨げられることなく提供される。チャンバの小開口部の周りでハウジングに対して袋を固定することにより、チャンバとステムとの間に流体連通が提供される。
【００１２】
いくつかの実施形態において、袋は、ニードルで貫通してシリンジ内の流体を注入することによって膨張するように構成された、ニードルで貫通可能な、自己密封式の袋である。
【００１３】
いくつかの実施形態において、袋は、ニードルで貫通して袋からシリンジ内へ流体を引き抜くことによって収縮するように構成された、ニードルで貫通可能な、自己密封式の袋である。
【００１４】
いくつかの実施形態において、流体は、水または生理食塩水を含む液体、および、空気、窒素、またはアルゴンを含む気体から選択される。いくつかの実施形態において、流体は滅菌生理食塩水である。
【００１５】
いくつかの実施形態において、ハウジングは、可膨張式ポートを通る注入物の所望の流量を達成するように機械的に補助された加圧注入のための構造的一体性を有する。
また、本明細書に開示されるのは、カテーテルアセンブリを移植するための方法であって、いくつかの実施形態において、カテーテルアセンブリの構成要素を入手することと、患者の鎖骨近くの第１切開を通って患者の上大静脈にカテーテルを導入することと、患者の胸上の第１切開の下の第２切開を通って作られた患者のポートポケットに可膨張式ポートを導入することと、可膨張式ポートにカテーテルを連結し、可膨張式ポートのステム上にカテーテルをロックすることと、患者にとって適切なサイズのポートに可膨張式ポートを膨張させることとを含む。カテーテルアセンブリの構成要素は、可膨張式ポートと、可膨張式ポートのステム上方を摺動するように構成された端部を含むカテーテルと、可膨張式ポートのステム上にカテーテルをロックするために、可膨張式ポートのステムの上方においてカテーテルの端部上を摺動するように構成されたカテーテルロックとを含む。
【００１６】
いくつかの実施形態において、可膨張式ポートを小さいサイズから患者にとって適切なサイズのポートに対応する大きいサイズの可膨張式ポートに膨張させることによって、第２切開を、既存のポートに必要な通常のものより小さい切開にできる。これは患者の傷跡を最小化する。
【００１７】
いくつかの実施形態において、本方法は、また、可膨張式ポートを膨張させる前に第２切開の周りの縫合でポートポケットを閉じることを含む。
いくつかの実施形態において、可膨張式ポートは、ハウジングと、ハウジング内のチャンバと、チャンバ上方のセプタムと、ハウジングから延在する中空のステムと、ハウジングの少なくとも一部分の周りの袋とを含む。チャンバは、主要開口部および小開口部を有する。セプタムは、チャンバの主要開口部の上方にある。セプタムは、ハウジングに固定される。ステムは、チャンバの小開口部によってチャンバに流体接続される。袋は、ニードルで貫通可能な、自己密封式の袋である。袋は、袋の膨張時に可膨張式ポートのサイズを増大させ、袋の収縮時に可膨張式ポートのサイズを減少させるように構成される。
【００１８】
いくつかの実施形態において、本方法は、また、袋をニードルで貫通すること、および、可膨張式ポートを膨張させるようにシリンジ内の流体を袋に注入することを含む。
いくつかの実施形態において、本方法は、また、可膨張式ポートを収縮させるようにニードルで貫通して袋から流体を引き抜くことを含む。本方法は、また、袋から流体を引き抜いた後、患者のポートポケットから可膨張式ポートを取り除くことを含む。
【００１９】
本明細書に提供された概念のこれらの特徴および他の特徴は、そのような概念の特定の実施形態をより詳細に開示する添付の図面および以下の記載の観点から、当業者にはより明白になるであろう。
【図面の簡単な説明】
【００２０】
【図１】いくつかの実施形態による、可膨張式ポートを含むカテーテルアセンブリを装着した患者を示す図。
【図２】いくつかの実施形態による、膨張状態の可膨張式ポートおよび収縮状態の可膨張式ポートを含むカテーテルアセンブリを示す図。
【図３Ａ】いくつかの実施形態による、可膨張式ポートの膨張を示す図。
【図３Ｂ】いくつかの実施形態による、可膨張式ポートの収縮を示す図。
【発明を実施するための形態】
【００２１】
いくつかの特定の実施形態がより詳細に開示される前に、本明細書に開示される特定の実施形態は、本明細書に提供される概念の範囲を限定しないことを理解されたい。本明細書に開示される特定の実施形態は、その特定の実施形態から容易に分離でき、任意選択的に、本明細書に開示される他の複数の実施形態のうちのいずれかの特徴と組み合わせるか、または置換することができる特徴を有し得ることも理解されたい。
【００２２】
本明細書に使用される用語に関して、用語は、いくつかの特定の実施形態の説明の目的のためであり、それらの用語が本明細書に提供される概念の範囲を限定しないことも理解されたい。序数（例えば、第１、第２、第３など）は、一般に、特徴またはステップの一群内の異なる複数の特徴またはステップを区別または識別するために使用され、シリアルまたは数的な限定を供給しない。例えば、「第１」、「第２」、および「第３」の特徴またはステップは、必ずしもその順序で現れる必要はなく、そのような特徴またはステップを含む特定の実施形態は、必ずしも３つの特徴またはステップに限定される必要はない。「左」、「右」、「前部」、「後部」、「頂部」、「底部」、「順」、「逆」、「時計回り」、「反時計回り」、「上」、「下」などのラベル、または「上部」、「下部」、「後方」、「前方」、「垂直」、「水平」、「近位」、「遠位」などの他の同様の用語は、便宜上使用され、例えば、特定の任意の固定された位置、配向、または方向を含意することを意図していない。代わりに、そのようなラベルは、例えば、相対的な位置、配向、または方向を反映するために使用される。単数形の「ａ」、「ａｎ」、および「ｔｈｅ」には、文脈で特に明確に指示されなければ、複数形の参照が含まれる。
【００２３】
「近位」に関して、例えば、本明細書に開示されるカテーテルの「近位部分」または「近位端部」は、カテーテルが患者に使用されるとき、臨床医の近くにあることが意図されるカテーテルの部分を含む。同様に、例えば、カテーテルの「近位長」は、カテーテルが患者に使用されるとき、臨床医の近くにあることが意図されるカテーテルの長さを含む。例えば、カテーテルの「近位端」は、カテーテルが患者に使用されるとき、臨床医の近くにあることが意図されるカテーテルの一端を含む。カテーテルの近位部分、近位端部、または近位長は、カテーテルの近位端を含み得る。しかしながら、カテーテルの近位部分、近位端部、または近位長は、カテーテルの近位端を含む必要はない。すなわち、特に文脈が示唆しなければ、カテーテルの近位部分、近位端部、または近位長は、カテーテルの末端部または末端長ではない。
【００２４】
「遠位」に関して、例えば、本明細書に開示されるカテーテルの「遠位部分」または「遠位端部」は、カテーテルが患者に使用されるとき、患者の近くまたは患者内にあることが意図されるカテーテルの部分を含む。同様に、例えば、カテーテルの「遠位長」は、カテーテルが患者に使用されるとき、患者の近くまたは患者内にあることが意図されるカテーテルの長さを含む。例えば、カテーテルの「遠位端」は、カテーテルが患者に使用されるとき、患者の近くまたは患者内にあることが意図されるカテーテルの一端を含む。カテーテルの遠位部分、遠位端部、または遠位長は、カテーテルの遠位端を含み得る。しかしながら、カテーテルの遠位部分、遠位端部、または遠位長は、カテーテルの遠位端を含む必要はない。すなわち、特に文脈が示唆しなければ、カテーテルの遠位部分、遠位端部、または遠位長は、カテーテルの末端部または末端長ではない。
【００２５】
可膨張式ポートの袋の膨張していない状態のように、「膨張していない」に関して、袋の膨張していない状態は、袋がまだ臨床医によって膨張させられていない袋の状態を含む。すなわち、膨張していない状態にある袋は、新たに開梱された可膨張式ポートの袋を含む。可膨張式ポートの袋の膨張した状態のように、「膨張した」に関して、袋の膨張した状態は、臨床医によって、少なくともある流体が袋内に注入されている袋の状態を含む。すなわち、膨張したポートの膨張した状態にある袋は、少なくとも部分的に膨張した袋を含む。可膨張式ポートの袋内に最大量の流体が注入されたとき、袋は「完全に膨張した」ことになる。可膨張式ポートの袋の収縮した状態のように、「収縮した」に関して、袋の収縮した状態は、臨床医によって、少なくともある流体が袋から引き抜かれた袋の状態を含む。すなわち、収縮した状態にある膨張したポートの袋は、少なくとも部分的に膨張した袋を含む。文脈により、膨張したポートが膨張した状態にあるかまたは収縮状態にあるかどうかを決定することができる。
【００２６】
特に定義されなければ、本明細書に使用される全ての技術的および科学的用語は、当業者によって一般的に理解されていることと同じ意味を有する。
臨床医は、一般的に、血管アクセスポートを移植するときに患者に作られる切開サイズおよびポートポケットサイズを最小化するように努力する。それに対応して、ポートの移植からの傷跡を最小化するように、より小さなサイズのアクセスポートもまた選択される。残念なことに、より小さなサイズのアクセスポートは必ずしも患者の体質と一致するわけではない場合がある。これにより、輸液セットアクセス用に位置決め、または触診できないアクセスポートになり得る。
【００２７】
輸液セットアクセスに付随する位置決めおよび触診の問題を回避するために、より大きなサイズのポートが移植された場合、そのより大きなサイズのポートは、患者（特に、癌患者が悪液質になった場合に続く典型的な体重減少の患者）にとって大きすぎることになる。これは、患者に美容上の課題、また、皮膚びらんの問題の可能性を生じ得る。
【００２８】
前述の観点から、ポート配置の傷跡を最小化し、輸液セットアクセスに付随する位置決めおよび触診の問題を回避するアクセスポートが必要とされる。本明細書に開示されるのは、可膨張式ポート、可膨張式ポートを含むカテーテル、および少なくとも前述したことに取り組む方法である。
【００２９】
可膨張式ポート
図２、３Ａ、および３Ｂに示されるように、可膨張式ポート２１０は、ハウジング３４０と、ハウジング３４０内のチャンバ３５０と、チャンバ３５０上方のセプタム３６０と、ハウジング３４０から延在する中空のステム３７０と、少なくともハウジング３４０の部分の周りの袋３８０とを含み得る。チャンバ３５０は主要開口部および小開口部を含み得る。セプタム３６０は、チャンバ３５０の主要開口部の上方にあり得る。セプタム３６０はハウジング３４０に固定され得る。ステム３７０は、チャンバ３５０の小開口部によって、チャンバ３５０に流体接続され得る。袋３８０は、袋３８０の膨張時に可膨張式ポート２１０のサイズを増大させ、袋３８０を収縮時に可膨張式ポート２１０のサイズを減少させるように構成され得る。
【００３０】
袋３８０は、チャンバ３５０の主要開口部および小開口部の周りでハウジング３４０に固定され得る。チャンバ３５０の主要開口部の周りでハウジング３４０に袋３８０を固定することにより、セプタム３６０に対するニードルのアクセスが妨げられることなく提供される。チャンバ３５０の小開口部の周りでハウジング３４０に袋３８０を固定することは、チャンバ３５０とステム３７０との間に流体連通を提供する。
【００３１】
図３Ａおよび３Ｂに示されるように、袋３８０はまた、ニードルが貫通してシリンジ内の流体を注入することによって膨張するように構成された、ニードルが貫通可能な自己密封式の袋であり得る。袋３８０はまた、ニードルが貫通して袋３８０からシリンジ内に流体を引き抜くことによって収縮するように構成され得る。
【００３２】
袋３８０を膨張させるための流体は、水または生理食塩水（例えば、滅菌生理食塩水）を含む液体および空気、窒素、またはアルゴンを含む気体から選択され得る。
ハウジング３４０は、可膨張式ポート２１０を通る注入物の所望の流量を達成する、機械的に補助された加圧注入の構造的一体性を有することができる。機械的に補助された加圧注入は、コンピュータ断層撮影（「ＣＴ」）スキャン中に造影剤を提供するのに役立つ。
【００３３】
可膨張式ポート２１０は、また、Ｘ線撮影によって可膨張式ポート２１０を識別するために構成された１つ以上の放射線不透過性要素で構成され得る。
可膨張式ポートを含むカテーテルアセンブリ
図１、２、３Ａ、および３Ｂに示されるように、カテーテルアセンブリ１００は、可膨張式ポート２１０と、可膨張式ポート２１０に流体接続されるように構成されたカテーテル２２０と、可膨張式ポート２１０上にカテーテル２２０をロックするように構成されたカテーテルロック２３０とを含み得る。可膨張式ポート２１０は、上述したように、ハウジング３４０と、ハウジング３４０内のチャンバ３５０と、チャンバ３５０上方のセプタム３６０と、ハウジング３４０から延在する中空のステム３７０と、ハウジング３４０の少なくとも一部分の周りにある袋３８０とを含む。カテーテル２２０は、可膨張式ポート２１０のステム３７０の上を摺動するように構成された端部を含む。カテーテル２２０は、可膨張式ポート２１０に連結されたとき、可膨張式ポート２１０のチャンバ３５０と流体連通するルーメン３２２を有する。カテーテルロック２３０は、可膨張式ポート２１０のステム３７０上にカテーテルをロックするように、可膨張式ポート２１０のステム３７０の上方のカテーテル２２０の端部上を摺動するように構成される。
【００３４】
カテーテル２２０（例えば、カテーテル２２０の端部）、カテーテルロック２３０、またはカテーテル２２０およびカテーテルロック２３０の両方は、また、Ｘ線撮影によって可膨張式ポート２１０を識別するために構成された１つ以上の放射線不透過性要素で構成され得る。
【００３５】
方法
カテーテルアセンブリ１００を移植する方法は、カテーテルアセンブリ１００の構成要素を入手することと、患者Ｐの鎖骨近くの第１切開を通って患者Ｐの上大静脈にカテーテル２２０を導入すること（図１参照）と、第１切開の下の患者Ｐの胸の第２切開を通って作られた患者Ｐ内のポートポケットに可膨張式ポート２１０を導入することと、カテーテル２２０を可膨張式ポート２１０に連結し、カテーテル２２０を可膨張式ポート２１０のステム３７０上にロックすることと、可膨張式ポート２１０を患者Ｐのための適切なサイズのポートに膨張させることとを含み得る。この場合もまた、カテーテルアセンブリ１００の構成要素は、可膨張式ポート２１０と、可膨張式ポート２１０のステム３７０の上方を摺動するように構成された端部を含むカテーテル２２０と、可膨張式ポート２１０のステム３７０上にカテーテルをロックするように、可膨張式ポート２１０のステム３７０の上方でカテーテル２２０の端部上を摺動するように構成されたカテーテルロック２３０とを含む。可膨張式ポート２１０は、ハウジング３４０と、ハウジング３４０内のチャンバと、チャンバ上方のセプタム３６０と、ハウジング３４０から延在する中空のステム３７０と、ハウジング３４０の少なくとも一部分の周りにある袋３８０とを含む。
【００３６】
可膨張式ポート２１０を小さいサイズから患者Ｐにとって適切なサイズのポートに対応する大きいサイズの可膨張式ポート２１０に膨張させることによって、第２切開を既存のポートに必要な通常のものより小さい切開にできる。これは患者Ｐの傷跡を最小化する。
【００３７】
本方法は、また、可膨張式ポート２１０を膨張させる前に第２切開の周りの縫合でポートポケットを閉じることを含み得る。可膨張式ポート２１０は、ポートポケットを閉じる前に膨張され得るか、またはポートポケットが閉じられると患者の皮膚を通って膨張され得る。
【００３８】
本方法は、また、袋３８０をニードル（例えば、ノンコアリングニードル）で貫通させることおよび可膨張式ポート２１０を膨張させるためにシリンジから流体を袋３８０に注入することを含み得る。これは図３Ａにおいて示される。
【００３９】
本方法は、また、袋３８０をニードル（例えば、ノンコアリングニードル）で貫通させることおよび可膨張式ポート２１０を収縮させるために袋３８０から流体を引き抜くことを含み得る。これは図３Ｂにおいて示される。
【００４０】
本方法は、また、袋３８０から流体を引き抜いた後、患者のポートポケットから可膨張式ポート２１０を取り除くことを含む。
前述の観点から、移植手順中の少なくとも配置のための、膨張していないときの最小限のプロファイル（例えば、最小限の高さと幅）を有する可膨張式ポートが開示される。可膨張式ポートの配置に続いて、可膨張式ポートは、可膨張式ポートの高さ、可膨張式ポートの幅、またはその両方を増大させるように膨張され得る。可膨張式ポートのサイズにおける増大は、触診による可膨張式ポートの位置決めに対して改善された安定性および改善された能力を提供し得る。可膨張式ポートは、また、可膨張式ポートの小型化のために収縮させられ得る。可膨張式ポートのサイズにおける減少は、体重減少を経験した患者のための適切なサイズの可膨張式ポートを提供し、その結果、彼または彼女の皮膚の下のポートプロファイルが露出する。したがって、可膨張式ポートは、患者の治療（例えば、癌治療）のタイムラインで一度に必要な特定の寸法に応じて、膨張または収縮させることができる。
【００４１】
いくつかの特定の実施形態が本明細書に開示され、特定の実施形態は、いくらか詳細に開示されているが、特定の実施形態が本明細書で提供される概念の範囲を限定することは意図されていない。追加の適応および／または修正は、当業者に明白であり得、より広い態様においては、これらの適応および／または修正もまた包含される。したがって、本明細書で提供される概念の範囲から逸脱することなく、本明細書で開示される特定の実施形態から逸脱し得る。
【図１】
2021527523.tif 000003
【図２】
2021527523.tif 000004
【図３Ａ】
2021527523.tif 000005
【図３Ｂ】
2021527523.tif 000006
【国際調査報告】
2021527523.tif 000007
2021527523.tif 000008